(57)【要約】【課題】戸締り監視システムの防犯性及び利便性を向上する。【解決手段】リモートコントローラ５は、警戒設定操作及び解除設定操作とは別に、確認指令を無線通信Ｔにより管理器４に送信する確認指令操作が可能な構成にするとともに、管理器４から返信される確認結果情報を報知する報知部を備える構成にし、管理器４は、確認指令を受信したとき、確認結果情報として、その時点で管理器４が警戒状態と解除状態とのいずれの状態にあるかを示す警戒／解除情報を無線通信Ｔによりリモートコントローラ５に返信する構成にする。【選択図】図１
2014021898.tif 000002
【特許請求の範囲】
【請求項１】
建屋における扉部の施開錠を検出する端末器と、この端末器の検出情報が入力される管理器と、リモートコントローラとを備え、
前記管理器は、前記端末器により開錠が検出されたとき警報動作する警戒状態と、この警戒状態を解除した解除状態とに切り換え可能な構成にし、
前記リモートコントローラは、前記管理器を無線通信により警戒状態に切り換える警戒設定操作、及び、前記管理器を無線通信により解除状態に切り換える解除設定操作が可能な構成にしてある戸締り監視システムであって、
前記リモートコントローラは、警戒設定操作及び解除設定操作とは別に、確認指令を無線通信により前記管理器に送信する確認指令操作が可能な構成にするとともに、前記管理器から返信される確認結果情報を報知する報知部を備える構成にし、
前記管理器は、前記確認指令を受信したとき、前記確認結果情報として、その時点で前記管理器が警戒状態と解除状態とのいずれの状態にあるかを示す警戒／解除情報を無線通信により前記リモートコントローラに返信する構成にしてある戸締り監視システム。
【請求項２】
前記リモートコントローラを装身具型にしてある請求項１記載の戸締り監視システム。
【請求項３】
前記リモートコントローラにおける前記報知部は、報知すべき情報に応じて予め設定されている振動パターンでの振動により情報を報知するバイブレータにしてある請求項１又は２記載の戸締り監視システム。
【請求項４】
前記管理器は、前記確認指令の受信時において開錠検出状態にある前記端末器があるときには、前記確認結果情報として、開錠検出状態にある前記端末器の存在を示す開錠情報を送信する構成にしてある請求項１〜３のいずれか１項に記載の戸締り監視システム。
【請求項５】
複数の扉部夫々の施開錠を各別に検出する複数の前記端末器を備え、
前記管理器は、前記確認指令の受信時において開錠検出状態にある前記端末器があるときには、前記確認結果情報として、いずれの前記端末器が開錠検出状態にあるかを示す開錠詳細情報を送信する構成にしてある請求項１〜３のいずれか１項に記載の戸締り監視システム。
【請求項６】
前記管理器は、警戒状態において前記端末器により開錠が検出されたとき、警報指令を無線通信により前記リモートコントローラに送信し、
前記リモートコントローラは、この警報指令を受信したとき前記報知部により警報を報知する構成にしてある請求項１〜５のいずれか１項に記載の戸締り監視システム。
【請求項７】
複数の扉部夫々の施開錠を各別に検出する複数の前記端末器を備え、
前記管理器は、警戒状態において前記端末器により開錠が検出されたとき、警報指令を無線通信により前記リモートコントローラに送信するとともに、いずれの前記端末器が開錠検出状態になったかを示す警報詳細情報を無線通信により前記リモートコントローラに送信する構成にし、
前記リモートコントローラは、前記警報指令を受信したとき前記報知部により警報を報知するとともに、受信した警報詳細情報を前記報知部により報知する構成にしてある請求項１〜５のいずれか１項に記載の戸締り監視システム。
【請求項８】
前記リモートコントローラは、前記警戒設定操作を行なう警戒設定操作部と前記解除設定操作を行なう解除設定操作部とを各別に備えるとともに、
前記報知部が前記警報を報知している状態において前記解除設定操作部が操作されたときには、前記報知部による警報の報知を停止する構成にしてある請求項６又は７記載の戸締り監視システム。
【請求項９】
前記端末器の配備箇所を示す端末器マークを付した建屋間取り図を表示する表示部を前記管理器に設け、
この表示部は、前記端末器が施錠検出状態にあるときと開錠検出状態にあるときとで前記端末器マークの表示形態を相違させる構成にしてある請求項１〜８のいずれか１項に記載の戸締り監視システム。
【発明の詳細な説明】
【技術分野】
【０００１】
本発明は戸締り監視システムに関し、詳しくは、建屋における扉部の施開錠を検出する端末器と、この端末器の検出情報が入力される管理器と、リモートコントローラとを備え、前記管理器は、前記端末器により開錠が検出されたとき警報動作する警戒状態と、この警戒状態を解除した解除状態とに切り換え可能な構成にし、前記リモートコントローラは、前記管理器を無線通信により警戒状態に切り換える警戒設定操作、及び、前記管理器を無線通信により解除状態に切り換える解除設定操作が可能な構成にしてある戸締り監視システムに関する。
【背景技術】
【０００２】
従来、この種の戸締り監視システムでは、特許文献１に見られるように、リモートコントローラで警戒設定操作が行なわれて管理器が警戒状態に切り換えられたとき、警戒状態への切り換えが完了したことを示す確認情報を無線通信により管理器からリモートコントローラに送信し、そして、この確認情報をリモートコントローラにおいて表示灯や液晶パネルあるいはバイブレータなどの報知手段により報知するものが提案されている。
【０００３】
また、リモートコントローラで警戒設定操作が行なわれて管理器が警戒状態に切り換えられたとき、管理器が警戒状態になったことを示す確認情報を管理器から玄関先に設置の表示器に送信し、この確認情報を玄関先の表示器において表示するものもある。
【先行技術文献】
【特許文献】
【０００４】
【特許文献１】特開２００４−９４８４７号公報
【発明の概要】
【発明が解決しようとする課題】
【０００５】
しかし、上記の如き従来システムでは、管理器が警戒状態になったことを警戒設定操作の操作時においてリモートコントローラや玄関先の表示器で確認できるにすぎず、警戒設定操作を行う必要がない状況において管理器が警戒状態にあるか解除状態にあるかを確認するには、管理器の設置箇所まで出向いて管理器の状態表示灯などを確認する必要があった。
【０００６】
このため、例えば、一応は警戒状態に切り換えた上で外出したり寝室に入ったが、その後、外出から戻って玄関を開ける際や寝室で就寝に入る際に、先に切り換えた警戒状態が保たれているか否かを念のために再確認するといったことはできなかった。
【０００７】
また、警戒状態と解除状態との切り換え操作が許された家人が自分以外にもある場合において、その家人が警戒状態と解除状態とのいずれの状態に切り換えた状況にあるかを家外や自室など、管理器の設置箇所以外の場所から確認するといったこともできず、これらの点で、従来システムでは防犯性や利便性の面で未だ改善の余地があった。
【０００８】
この実情に鑑み、本発明の主たる課題は、合理的な改良により防犯性や利便性を効果的に高める点にある。
【課題を解決するための手段】
【０００９】
本発明の第１特徴構成は、戸締り監視システムに係り、その特徴は、
建屋における扉部の施開錠を検出する端末器と、この端末器の検出情報が入力される管理器と、リモートコントローラとを備え、
前記管理器は、前記端末器により開錠が検出されたとき警報動作する警戒状態と、この警戒状態を解除した解除状態とに切り換え可能な構成にし、
前記リモートコントローラは、前記管理器を無線通信により警戒状態に切り換える警戒設定操作、及び、前記管理器を無線通信により解除状態に切り換える解除設定操作が可能な構成にしてある戸締り監視システムであって、
前記リモートコントローラは、警戒設定操作及び解除設定操作とは別に、確認指令を無線通信により前記管理器に送信する確認指令操作が可能な構成にするとともに、前記管理器から返信される確認結果情報を報知する報知部を備える構成にし、
前記管理器は、前記確認指令を受信したとき、前記確認結果情報として、その時点で前記管理器が警戒状態と解除状態とのいずれの状態にあるかを示す警戒／解除情報を無線通信により前記リモートコントローラに返信する構成にしてある点にある。
【００１０】
この構成によれば、リモートコントローラでの確認指令操作により、管理器の設置箇所にわざわざ出向くことなくその場で、また、警戒設定操作や解除設定操作を伴うことなく単独に、管理器が警戒状態と解除状態とのいずれの状態にあるかをリモートコントローラでの警戒／解除情報の報知により随時に確認することができる。
【００１１】
したがって、このリモートコントローラを所持しておけば、警戒状態に切り換えた上で外出したり寝室に入った後、外出から戻って玄関を開ける際や寝室で就寝に入る際に、先に切り換えた警戒状態が保たれているか否かを念のために再確認するといったことが可能になる。
【００１２】
また、警戒状態と解除状態との切り換え操作が許された家人が自分以外にもある場合において、その家人が警戒状態と解除状態とのいずれの状態に切り換えた状況にあるかを家外や自室など、管理器の設置箇所以外の場所から確認するといったことも随時に行なうことができる。
【００１３】
即ち、これらの例に代表されるように、上記構成によれば、戸締り監視システムの防犯性や利便性を効果的に高めることができる。
【００１４】
ちなみに、リモートコントローラでの確認指令操作に対して管理器から確認結果情報を返信させるのに、別法として、管理器が警戒状態と解除状態とのいずれの状態にあるかを示す警戒／解除情報ではなく、端末器が施錠検出状態にあるか否かの情報（即ち、端末器を配備した扉部が施錠状態にあるか否かの施錠／開錠情報）を確認結果情報として管理器からリモートコントローラに返信させることも考えられる。
【００１５】
しかし、この種の戸締り監視システムでは、建屋内に人が居る場合など、扉部を施錠した状態で管理器を解除状態にしておく状況も多々存在し、そのような状況の場合、上記の別法では、リモートコントローラでの確認指令操作に対し管理器からの確認結果情報として施錠状態であるとの返信がリモートコントローラに為されることで、管理器が解除状態にあるにもかかわらずリモートコントローラの使用者に不用意な安心感を与えてしまう虞がある。
【００１６】
これに対し、本発明の上記構成によれば、確認結果情報として、端末器が施錠検出状態にあるか否かの施錠／開錠情報ではなく、管理器が警戒状態と解除状態とのいずれの状態にあるかを示す警戒／解除情報を管理器からリモートコントローラに返信させるから、上記の如き虞も確実に回避することができ、この点からも一層高い防犯性を得ることができる。
【００１７】
本発明の第２特徴構成は、第１特徴構成の実施において、前記リモートコントローラを装身具型にしてある点にある。
【００１８】
この構成によれば、リモートコントローラの紛失を効果的に防止できるのに加えて、操作の際、リモートコントローラの置き場所まで移動することなく、その場でリモートコントローラによる操作を行なうことができ、これにより利便性を一層高めることができる。
【００１９】
殊に、前述の如く警戒設定操作や解除設定操作を伴うことなくリモートコントローラにおいて単独に確認指令操作を随時に行えるようにしたことと相俟って、管理器が警戒状態にあるか解除状態にあるかの確認を一層簡便に行なうことができ、この点で、ひいては防犯性も一層高めることができる。
【００２０】
なお、装身具型リモートコントローラの例としては、腕時計型やブレスレット型、あるいはペンダント型やブローチ型などのリモートコントローラを挙げることができる。
【００２１】
本発明の第３特徴構成は、第１又は第２特徴構成の実施において、
前記リモートコントローラにおける前記報知部は、報知すべき情報に応じて予め設定されている振動パターンでの振動により情報を報知するバイブレータにしてある点にある。
【００２２】
この構成によれば、視覚や聴覚に不自由がある使用者に対してもリモートコントローラでの報知を確実に認知させることができ、特にリモートコントローラを装身具型にした場合にはバイブレータ振動の感知が一層容易になることとも相俟って、情報認知の確実性を一層効果的に高めることができる。
【００２３】
本発明の第４特徴構成は、第１〜第３特徴構成のいずれかの実施において、
前記管理器は、前記確認指令の受信時において開錠検出状態にある前記端末器があるときには、前記確認結果情報として、開錠検出状態にある前記端末器の存在を示す開錠情報を送信する構成にしてある点にある。
【００２４】
この構成によれば、開錠検出状態にある端末器の存否（換言すれば、開錠状態にある扉部の存否）もリモートコントローラにおいて確認できることで、開錠状態にある扉部に対する対処を一層容易かつ確実にすることができ、このことで防犯性及び利便性をさらに高めることができる。
【００２５】
なお、この構成の実施において上記開錠情報は、警戒／解除情報とともに確認結果情報として管理器から返信させてもよく、また、確認指令の受信時において開錠検出状態にある端末器があるときには、警戒／解除情報に代えて開錠情報のみを確認結果情報として管理器から返信させるようにしてもよい。
【００２６】
さらにまた、後述の如く、警戒状態において端末器により開錠が検出されたときリモートコントローラにおいて警報を報知させる場合には、その警報そのものが警戒状態において開錠検出状態にある端末器の存在を示す情報になる。
【００２７】
したがって、上記構成の実施にあたり、確認結果情報として開錠情報を管理器から返信させるのは、確認指令の受信時において解除状態で開錠検出状態にある端末器が存在するときに限るようにしてもよく、その場合、上記開錠情報は管理器が警戒状態と解除状態とのいずれの状態にあるかを示す（この場合、解除状態にあることを示す）警戒／解除情報を兼ねるものになる。
【００２８】
本発明の第５特徴構成は、第１〜３特徴構成のいずれかの実施において、
複数の扉部夫々の施開錠を各別に検出する複数の前記端末器を備え、
前記管理器は、前記確認指令の受信時において開錠検出状態にある前記端末器があるときには、前記確認結果情報として、いずれの前記端末器が開錠検出状態にあるかを示す開錠詳細情報を送信する構成にしてある点にある。
【００２９】
この構成によれば、いずれの端末器が開錠検出状態にあるか（換言すれば、端末器を配備したいずれの扉部が開錠状態にあるか）もリモートコントローラにおいて確認できることで、開錠状態にある扉部に対する対処をさらに容易かつ確実にすることができ、このことで防犯性及び利便性をさらに高めることができる。
【００３０】
なお、前述の第４特徴構成と同様、この構成の実施において上記開錠詳細情報は、警戒／解除情報とともに確認結果情報として管理器から返信させてもよく、また、確認指令の受信時において開錠検出状態にある端末器があるときには、警戒／解除情報に代えて開錠詳細情報のみを確認結果情報として管理器から返信させるようにしてもよい。
【００３１】
本発明の第６特徴構成は、第１〜第５特徴構成のいずれかの実施において、
前記管理器は、警戒状態において前記端末器により開錠が検出されたとき、警報指令を無線通信により前記リモートコントローラに送信し、
前記リモートコントローラは、この警報指令を受信したとき前記報知部により警報を報知する構成にしてある点にある。
【００３２】
この構成によれば、警戒状態において端末器により開錠が検出されたとき、管理器の警報動作とともに、その警報動作の一環としてリモートコントローラでも警報が報知されることで、リモートコントローラを所持していれば家外や自室など管理器の設置箇所から離れた場所に居る場合でも、管理器の警報動作を確実かつ速やか認知することができ、この点で防犯性及び利便性を一層高めることができる。
【００３３】
なお、この構成の実施において、リモートコントローラの報知部は、確認結果情報を報知する部分と警報を報知する部分とが共通のもの、あるいは、それら部分を各別に備えるもののいずれであってもよい。
【００３４】
本発明の第７特徴構成は、第１〜第５特徴構成のいずれかの実施において、
複数の扉部夫々の施開錠を各別に検出する複数の前記端末器を備え、
前記管理器は、警戒状態において前記端末器により開錠が検出されたとき、警報指令を無線通信により前記リモートコントローラに送信するとともに、いずれの前記端末器が開錠検出状態になったかを示す警報詳細情報を無線通信により前記リモートコントローラに送信する構成にし、
前記リモートコントローラは、前記警報指令を受信したとき前記報知部により警報を報知するとともに、受信した警報詳細情報を前記報知部により報知する構成にしてある点にある。
【００３５】
この構成によれば、警戒状態において端末器により開錠が検出されたとき、リモートコントローラにおいて警報が報知されるとともに上記警報詳細情報も報知されることで、管理器の警報動作を確実かつ速やか認知できることに加え、いずれの端末器が開錠検出状態になったか（換言すれば、端末器を配備したいずれの扉部が開錠されたか）もリモートコントローラにおいて認知することができ、これにより、警報動作の発動に対する対処を一層的確なものにすることができる。
【００３６】
なお、この構成の実施においても、リモートコントローラの報知部は、確認結果情報を報知する部分と警報を報知する部分と警報詳細情報を報知する部分との３部分が共通のものや、それら３部分のうちの２部分が共通のもの、あるいは、それら３部分を各別に備えるもののいずれであってもよい。
【００３７】
本発明の第８特徴構成は、第６又は第７特徴構成の実施において、
前記リモートコントローラは、前記警戒設定操作を行なう警戒設定操作部と前記解除設定操作を行なう解除設定操作部とを各別に備えるとともに、
前記報知部が前記警報を報知している状態において前記解除設定操作部が操作されたときには、前記報知部による警報の報知を停止する構成にしてある点にある。
【００３８】
この構成によれば、警報の報知を停止する警報停止操作部を警戒設定操作部や解除設定操作部とともにリモートコントローラに各別に装備するのに比べ、解除設定操作部を警報停止操作部に兼用する形態であることから、リモートコントローラを小型化することができる。
【００３９】
本発明の第９特徴構成は、第１〜第８特徴構成のいずれかの実施において、
前記端末器の配備箇所を示す端末器マークを付した建屋間取り図を表示する表示部を前記管理器に設け、
この表示部は、前記端末器が施錠検出状態にあるときと開錠検出状態にあるときとで前記端末器マークの表示形態を相違させる構成にしてある点にある。
【００４０】
この構成によれば、建屋におけるいずれの箇所に配備した端末器が施錠検出状態又は開錠検出状態にあるか（換言すれば、端末器を配備したいずれの箇所の扉部が施錠状態又は開錠状態にあるか）を一目瞭然に使用者に認知させることができて、開錠状態にある扉部がある場合の対処を容易にすることができ、特に複数の扉部に端末器を配備する場合において顕著な効果を得ることができる。
【図面の簡単な説明】
【００４１】
【図１】戸締り監視システムを施設した住居の概略図
【図２】窓扉部における端末器の装備状態を示す正面図と側面図
【図３】出入口扉部における端末器の装備状態を示す正面図と拡大斜視図
【図４】管理器の斜視図
【図５】各種リモートコントローラの斜視図
【図６】戸締り監視システムのシステム構成を示すブロック部
【図７】別実施形態を示す管理器の正面図
【発明を実施するための形態】
【００４２】
図１は戸締り監視システムを施設した住居を示し、各部屋の窓扉部１並びに玄関や勝手口などの出入口扉部２には、各扉部１，２の施錠及び開錠を検出する端末器３Ａ，３Ｂを配備し、玄関やキッチンあるいは居間などの代表室には管理器４を設置してある。
【００４３】
各端末器３Ａ，３Ｂは、対応する扉部１，２の施開錠を示す検出情報を各々に設定されたＩＤ情報とともに微弱電波の無線通信Ｔにより管理器４に送信する。
【００４４】
管理器４は、警戒状態とその警戒状態を解除した解除状態とに切り換えが可能であり、警戒状態では、いずれかの端末器３Ａ，３Ｂにより開錠が検出されたとき警報動作し、解除状態では、各端末器３Ａ，３Ｂの検出情報にかかわらず警報動作は行わない。
【００４５】
また、このシステムでは、微弱電波の無線通信Ｔを用いて管理器４と双方向に通信するリモートコントローラ５を装備してあり、このリモートコントローラ５を用いることで、住居における各個室や玄関先或いは庭など、管理器４の設置箇所から離れた場所からも警戒状態と解除状態との切り換え操作、並びに、後述する確認指令操作を行なうことができる。
【００４６】
図２は窓扉部１に配備する窓用端末器３Ａの一例を示し、この窓用端末器３Ａは、クレセント６の動作部６ａ（本例では操作レバーの端部）に付設した磁石片７が、端末器３Ａの本体部検出端に装備した磁気センサ８に対してクレセント６の施錠操作により近接した状態になると、施錠検出情報を無線通信Ｔにより管理器４に送信する。また、このとき本体部９の動作確認ＬＥＤ１０を所定時間だけ点滅させて施錠確認を報知する。
【００４７】
また、クレセント６の開錠操作により磁気片７が磁気センサ８に対する近接状態から外れると、開錠検出情報を無線通信Ｔにより管理器４に送信し、このときにも本体部９の動作確認ＬＥＤ１０を所定時間だけ点滅させて開錠確認を報知する。
【００４８】
この窓用端末器３Ａは、通信部を備えるとともに電源電池を格納した本体部９を上下にスライド移動させることができ、クレセント６を施開錠操作する際には、このスライド移動により本体部９を移動下端の検出作用位置から一点鎖線で示す如く上方へ退避させる。
【００４９】
図３は出入口扉部２に配備する出入口用端末器３Ｂの一例を示し、この出入口用端末器３Ｂは、シリンダ錠１１におけるサムターン１１ａの操作に伴うデッドボルト１１ｂの突出／引退動作をトロ受１１ｃにおいて検出するセンサ部１２と、壁１３の上部に取り付けた状態でリード線１４によりセンサ部１２に接続する本体部１５とからなり、本体部１５には通信部及び電源電池を装備してある。
【００５０】
この出入口用端末器３Ｂは、シリンダ錠１１が施錠されてセンサ部１２がデッドボルト１１ｂの突出を検出すると、本体部１５の通信部から施錠検出情報を無線通信Ｔにより管理器４に送信する。また、このとき本体部１５の動作確認ＬＥＤ１６を所定時間だけ点滅させて施錠確認を報知する。
【００５１】
また、シリンダ錠１１が開錠されてセンサ部１２がデッドボルト１１ｂの引退を検出すると、本体部１５の通信部から開錠検出情報を無線通信Ｔにより管理器４に送信し、このときにも本体部１５の動作確認ＬＥＤ１６を所定時間だけ点滅させて開錠確認を報知する。
【００５２】
図４は管理器４を示し、この管理器４には表示部として、端末モニタ部１７、液晶表示部１８、戸締りランプ１９、警戒／警報ランプ２０を設け、端末モニタ部１７には、各端末器３Ａ，３Ｂに対して各別に対応させたモニタランプ１７ａと配置名プレート１７ｂとの組を１０組並設してある。
【００５３】
また、管理器４には操作具として、先送りスイッチ２１ａ、戻りスイッチ２１ｂ、ＯＮスイッチ２２ａ、ＯＦＦスイッチ２２ｂ、確認スイッチ２３を設けてある。
【００５４】
図６に示すように、管理器４の内部には、各端末器３Ａ，３Ｂ及びリモートコントローラ５と無線通信Ｔを行なう通信部２４、各種制御を司る制御部２５、一般商用電源からの供給電力を変圧直流化して管理器４の各部に供給する電源部２６、並びに、バックアップ用の電池２７を装備してある。
【００５５】
そして、この管理器４は、各端末器３Ａ，３Ｂの検出情報及び各操作具の操作に応じた制御部２５の制御動作により次のように機能する。
【００５６】
端末モニタ部１７において、施錠検出状態にある端末器３Ａ，３Ｂのモニタランプ１７ａを緑色で点灯させ、開錠検出状態にある端末器３Ａ，３Ｂのモニタランプ１７ａを赤色で点灯させる。
【００５７】
端末器３Ａ，３Ｂが１１個以上あるときには、確認スイッチ２３を操作すると、モニタランプ１７ａでは表示されない端末器３Ａ，３Ｂについて、開錠検出状態にある端末器３Ａ，３Ｂの配置名が液晶表示部１８において所定時間ずつ順次にかつ繰り返して表示される。
【００５８】
この表示において、先送りスイッチ２１ａを操作すると液晶表示部１８の表示内容が早送りで先に進み、戻りスイッチ２１ｂを操作すると液晶表示部１８の表示内容が早送りで戻る。
【００５９】
戸締りランプ１９は、開錠検出状態にある端末器３Ａ，３Ｂが存在する場合には青色で点灯させ、全ての端末器３Ａ，３Ｂが施錠検出状態になると消灯させる。
【００６０】
つまり、警戒状態に切り換える際には、これら戸締りランプ１９、モニタランプ１７、液晶表示部１８により全ての端末器３Ａ，３Ｂが施錠検出状態にあること（換言すれば、端末器３Ａ，３Ｂを配備した扉部が全て施錠状態にあること）を確認し、その上で警戒状態への切り換えを行なうようにする。
【００６１】
なお、開錠検出状態にある端末器３Ａ，３Ｂが１個でも存在する状態で、警戒状態への切り換え操作が行なわれた場合には、警戒状態への切り換えを保留するとともに、開錠検出状態にある端末器３Ａ，３Ｂの存在を液晶表示部１８において点滅表示するなどしてエラーを報知するようにしてもよい。
【００６２】
また、本例では、電源電池の消耗を抑制するため、各端末器３Ａ，３Ｂは施錠時及び開錠時にのみ検出情報を送信するようにしてあり、このことから、管理器４における制御部２５は、端末器３Ａ，３Ｂから施錠検出情報を受信した後、次にその端末器３Ａ，３Ｂから開錠検出情報を受信するまでの期間を、その端末器３が施錠検出状態にある期間として扱い、同様に、端末器３Ａ，３Ｂから開錠検出情報を受信した後、次にその端末器３Ａ，３Ｂから施錠検出情報を受信するまでの期間を、その端末器３が開錠検出状態にある期間として扱う。
【００６３】
ＯＮスイッチ２２ａは管理器４を警戒状態に切り換える警戒設定操作を行なうスイッチであり、このＯＮスイッチ２２ａを操作すると、管理器４の確認ブザー２８ａが所定の短時間（例えば１秒間）だけ作動し、その後、外出時の出入口施錠に要する時間を見込んだ所定時間（例えば４０秒間）が経過した時点で、管理器４が警戒状態に切り換えられ、また、このとき警戒／警報ランプ２０が赤色点灯して警戒状態に入ったことが報知される。
【００６４】
ＯＦＦスイッチ２２ｂは管理器４を解除状態に切り換える解除設定操作を行なうスイッチであり、このＯＦＦスイッチ２２ｂを操作すると、管理器４が直ちに解除状態に切り換えられるとともに、管理器４の確認ブザー２８ａが所定の短時間（例えば１秒間）だけ作動し、また、このとき警戒／警報ランプ２０が消灯して解除状態になったことが報知される。
【００６５】
管理器４が警戒状態にあるときには、いずれかの端末器３Ａ，３Ｂから開錠検出情報が送信される（即ち、端末器３Ａ，３Ｂを配備した扉部のいずれかが警戒状態において開錠される）と、警報動作として、警戒／警報ランプ２０の赤色点灯が点滅に切り換わるとともに、管理器４の警報ブザー２８ｂが作動する。
【００６６】
但し、予め指定されている１つの出入口用端末器３Ｂについては、警戒状態になって開錠が検出されたとしても、その後の所定時間（例えば１５秒間）だけは、外出から戻った際の解除設定操作に要する時間と見なしてその開錠検出を無視する。
【００６７】
管理器４が警報動作している状態においてＯＦＦスイッチ２２ｂを操作すると、警報ブザー２８ｂの作動が停止されるが、警戒／警報ランプ２０の赤色点滅は維持される。
【００６８】
各端末器３Ａ，３Ｂは、施錠検出情報及び開錠検出情報の送信とは別に、各端末器３Ａ，３Ｂにおける電源電池の残量が所定残量まで低下すると残量注意情報を無線通信Ｔにより管理器４に送信し、これに対し、管理器４では残量注意情報の送信があった端末器３Ａ，３Ｂのモニタランプ１７ａを点滅させて電池残量の減少を報知する。
【００６９】
リモートコントローラ５は、図５の（ａ）に示す如き腕時計型や図５の（ｂ）に示す如きペンダント型、あるいはブレスレット型やブローチ型などの装身具型にし、この装身具型のリモートコントローラ５には、ＯＮスイッチ２９ａ、ＯＦＦスイッチ２９ｂ、モニタスイッチ３０、並びに、動作確認ＬＥＤ３１を装備してある。
【００７０】
また図６に示す如く、リモートコントローラ５には、制御部３２、通信部３３、電源電池３４を内蔵するとともに、報知部としてのバイブレータ３５を内蔵してあり、このリモートコントローラ５は、制御部３２の制御動作により管理器４との相互通信において次の如く機能する。
【００７１】
リモートコントローラ５のＯＮスイッチ２９ａ（警戒設定操作部）を操作すると、警戒設定指令がリモートコントローラ５の通信部３３から無線通信Ｔにより管理器４に送信される。また、このときリモートコントローラ５の動作確認ＬＥＤ３１が所定時間だけ点滅動作して警戒設定指令の送信を報知する。
【００７２】
この警戒設定指令を管理器４の通信部２４が受信すると、管理器４の制御部２５は、管理器４におけるＯＮスイッチ２２ａが操作された場合と同様に、管理器４の確認ブザー２８ａを所定の短時間だけ作動させ、その後、所定時間が経過した時点で、管理器４を警戒状態に切り換えるとともに、管理器４の警戒／警報ランプ２０を赤色点灯させる。
【００７３】
また、リモートコントローラ５のＯＦＦスイッチ２９ｂ（解除設定操作部）を操作すると、解除設定指令がリモートコントローラ５の通信部３３から無線通信Ｔにより管理器４に送信され、このときもリモートコントローラ５の動作確認ＬＥＤ３１が所定時間だけ点滅動作して解除設定指令の送信を報知する。
【００７４】
この解除設定指令を管理器４の通信部２４が受信すると、管理器４の制御部２５は、管理器４におけるＯＦＦスイッチ２２ｂが操作された場合と同様に、管理器４を直ちに解除状態に切り換えるとともに、管理器４の確認ブザー２８ａを所定の短時間だけ作動させ、また、警戒／警報ランプ２０を消灯する。
【００７５】
管理器４又はリモートコントローラ５のＯＮスイッチ２２ａ，２９ａにより管理器４が警戒状態に切り換えられた状態において、いずれかの端末器３Ａ，３Ｂから開錠検出情報が管理器４に送信されると、管理器４の制御部２５は、前述の如く管理器４を警報動作させるとともに、その警報動作の一環として、警報指令を管理器４の通信部２４から無線通信Ｔによりリモートコントローラ５に送信する。
【００７６】
この警報指令をリモートコントローラ５の通信部３３が受信すると、リモートコントローラ５の制御部３２は、リモートコントローラ５での警報報知として、バイブレータ３５を予め設定されている警報用の振動パターン（例えば、「ブー・ブー・ブー・一秒停止」の繰り返し）で振動動作させ、これにより、リモートコントローラ５の所持者に管理器４の警報動作を報知する。
【００７７】
この警報報知状態（即ち、管理器４の警報動作状態）において、リモートコントローラ５のＯＦＦスイッチ２９ｂを操作すると、リモートコントローラ５におけるバイブレータ３５の振動動作が停止し、また、警報動作停止指令がリモートコントローラ５の通信部３３から無線通信Ｔにより管理器４に送信される。
【００７８】
この警報動作停止指令を管理器４の通信部２４が受信すると、管理器４の制御部２５は、警戒状態において管理器４のＯＦＦスイッチ２２ｂが操作された場合と同様に、管理器４における警報ブザー２８ｂの作動を停止するが、警戒／警報ランプ２０の赤色点滅は維持する。
【００７９】
つまり、管理器４及びリモートコントローラ５のＯＦＦスイッチ２２ｂ，２９ｂは、いずれも基本的には管理器４を解除状態に切り換える解除設定操作部として機能するが、管理器４が警報動作状態にあってリモートコントローラ５が警報報知状態にあるときには、管理器４及びリモートコントローラ５のＯＦＦスイッチ２２ｂ，２９ｂはともに、管理器４における警報ブザー２８ｂの作動を停止させる警報停止操作部として機能し、また、リモートコントローラ５のＯＦＦスイッチ２９ｂは、リモートコントローラ５におけるバイブレータ３５の作動も停止させる警報停止操作部として機能する。
【００８０】
一方、リモートコントローラ５のモニタスイッチ３０（確認指令操作部）を操作すると、確認指令がリモートコントローラ５の通信部３３から無線通信Ｔにより管理器４に送信される。また、このときもリモートコントローラ５の動作確認ＬＥＤ３１が所定時間だけ点滅動作して確認指令の送信を報知する。
【００８１】
この確認指令を管理器４の通信部２４が受信すると、管理器４の制御部２５は、確認結果情報として、その時点において管理器４が警戒状態と解除状態とのいずれの状態にあるかを示す警戒／解除情報を管理器４の通信部２４から無線通信Ｔによりリモートコントローラ５に返信する。
【００８２】
そして、この警戒／解除情報をリモートコントローラ５の通信部３３が受信すると、リモートコントローラ５の制御部３２は、その受信した警戒／解除情報をその内容に応じて予め設定されている確認用の振動パターン（例えば、警戒状態のときには「ブー」の１回作動、解除状態のときには「ブー・ブー」の１回作動）で振動させ、これにより、管理器４が警戒状態と解除状態とのいずれの状態にあるかをリモートコントローラ５の所持者に報知する。
【００８３】
つまり、上記の如きモニタスイッチ３０をリモートコントローラ５に装備することで、そのリモートコントローラ５を所持していれば、例えば、警戒状態に切り換えた上で外出したり寝室に入った後、外出から戻って玄関を開ける際や寝室で就寝に入る際に、先に切り換えた警戒状態が保たれているか否かを念のために再確認するといったことが可能になる。
【００８４】
また、警戒状態と解除状態との切り換え操作が許された家人が自分以外にもある場合において、その家人が警戒状態と解除状態とのいずれの状態に切り換えた状況にあるかを家外や自室など、管理器の設置箇所以外の場所から確認するといったことも随時に行なうことができる。
【００８５】
なお、上記の例では、リモートコントローラ５からの確認指令に対し、警戒状態と解除状態とのいずれの状態にあるかを示す警戒／解除情報を確認結果情報として管理器４から返信させて、その返信情報をリモートコントローラ５において報知させるようにしたが、これに代え、リモートコントローラ５からの確認指令に対し、警戒状態と解除状態とのいずれの状態にあるかを示す警戒／解除情報とともに、開錠検出状態にある端末器３Ａ，４Ｂがある場合においてその存在を示す開錠情報を確認結果情報として管理器４から返信させ、その返信情報をその内容に応じてバイブレータ３５を予め設定されている振動パターン（例えば、警戒状態で開錠検出状態の端末器３Ａ，３Ｂがないのときには「ブー」の１回作動、解除状態で開錠検出状態の端末器３Ａ，３Ｂがないのときには「ブー・ブー」の１回作動、開錠検出状態の端末器３Ａ，３Ｂがあるときには「「ブー・ブー・ブー」の１回作動」で振動させるようにしてもよい。
【００８６】
〔別実施形態〕
次に本発明の別の実施形態を列記する。
【００８７】
前述の実施形態では、モニタランプ１７ａの点灯色を相違させることで、端末器３Ａ，３Ｂが施錠検出状態にあるか開錠検出状態にあるかを表示するようにしたが、これに代え、図７に示す如く、画像を表示する表示部１７Ａを管理器４に設け、この表示部１７Ａにおいて、端末器３Ａ，３Ｂの配備箇所を示す端末器マークｍを付した建屋間取り図Ｇを表示するとともに、この間取り図表示において、端末器マークｍの表示形態を、対応する端末器３Ａ，３Ｂが施錠検出状態にあるときと開錠検出状態にあるときとで相違させるようにしてもよい。
【００８８】
また、この場合、端末器マークｍの表示形態を相違させるには、マーク色の相違やマーク形状の相違、あるいは、添付記号の相違など、種々の方式を採ることができる。
【００８９】
前述の実施形態では、リモートコントローラ５からの確認指令に対し、警戒状態と解除状態とのいずれの状態にあるかを示す警戒／解除情報を確認結果情報として管理器４から返信させて、その返信情報をリモートコントローラ５において報知させるようにしたが、これに代え、リモートコントローラ５からの確認指令に対し、警戒状態と解除状態とのいずれの状態にあるかを示す警戒／解除情報とともに、開錠検出状態にある端末器３Ａ，４Ｂがある場合において、いずれの端末器３Ａ，３Ｂが開錠検出状態にあるかを示す開錠詳細情報を確認結果情報として管理器４から返信させ、その返信情報をリモートコントローラ５において報知させるようにしてもよい。
【００９０】
また、前述の実施形態では、警戒状態において端末器３Ａ，３Ｂにより開錠が検出されたとき、警報指令を管理器４から無線通信Ｔによりリモートコントローラ５に送信させ、この警報指令の受信によりリモートコントローラ５では、バイブレータ３５の振動動作により警報を報知させるようにしたが、これに代え、警戒状態において端末器３Ａ，３Ｂにより開錠が検出されたとき、警報指令を管理器４から無線通信Ｔによりリモートコントローラ５に送信させるとともに、いずれの端末器３Ａ，３Ｂが開錠検出状態になったかを示す警報詳細情報を管理器４から無線通信Ｔによりリモートコントローラ５に送信させ、これら警報指令及び警報詳細情報の受信によりリモートコントローラ５では、警報を報知させるとともに、受信した警報詳細情報を報知させるようにしてもよい。
【００９１】
リモートコントローラ５は装身具型に限らず、キーホルダ型や携帯電話型あるいはポケットベル型のものにしてもよく、あるいはまた、小型な置き時計型や壁掛け型のものにしてもよい。
【００９２】
また、警報の報知や確認結果情報の報知を行なうリモートコントローラ５の報知部は、バイブレータ３５に限らず、表示灯や液晶パネルあるいはブザーや音声表示装置など、種々の報知方式のものを採用することができる。
【符号の説明】
【００９３】
１，２            扉部
３Ａ，３Ｂ        端末器
４                管理器
５                リモートコントローラ
Ｔ                無線通信
３５              報知部，バイブレータ
２９ａ            警戒設定操作部
２９ｂ            解除設定操作部
ｍ                端末器マーク
Ｇ                建屋間取り図
１７Ａ            表示部
【図１】
2014021898.tif 000003
【図２】
2014021898.tif 000004
【図３】
2014021898.tif 000005
【図４】
2014021898.tif 000006
【図５】
2014021898.tif 000007
【図６】
2014021898.tif 000008
【図７】
2014021898.tif 000009